(57)【要約】【課題】分割された本体ケースの結合のためにネジ止めを必要としないガス警報器を提供することを課題とする。【解決手段】軸方向に２分割して構成された円盤形の分割ケース同士を軸方向に嵌め合わせて結合してなる本体ケース内にガス漏れを検知して警報を発するガス警報回路を搭載したプリント回路基板を収納して構成したガス警報器において、前記本体ケースの一方の分割ケースの嵌合部の外周または内周面に螺旋状または直線状に傾斜を有する突条を設け、他方の分割ケースの嵌合部の内周または外周面に前記突条と合致する傾斜を有する、前記突条と噛み合わせ可能な溝を設け、前記突条と溝とを噛み合わせてこれらの傾斜方向へ２つの分割ケースを相対的に回転させて結合する。【選択図】図２
2008084104.tif 000002
【特許請求の範囲】
【請求項１】
軸方向に２分割して構成された円盤形の分割ケース同士を軸方向に嵌め合わせて結合してなる本体ケース内にガス漏れを検知して警報を発するガス警報回路を搭載したプリント回路基板を収納して構成したガス警報器において、前記本体ケースの一方の分割ケースの嵌合部の外周または内周面に螺旋状または直線状に傾斜を有する突条を設け、他方の分割ケースの嵌合部の内周または外周面に前記突条と合致する傾斜を有する、前記突条と噛み合わせ可能な溝を設け、前記突条と溝とを噛み合わせてこれらの傾斜方向へ２つの分割ケースを相対的に回転させて結合したことを特徴とするガス警報器のケース。
【請求項２】
この発明においては、一方の分割ケースの嵌合部の外周面または内周面および他方の分割ケースの嵌合部の内周面または外周面に両分割ケースの結合のための回転の終端位置において互いに係合して両分割ケースの回転を止める係合突起と係合凹所を設けたことを特徴とする請求項１に記載のガス警報器のケース。
【発明の詳細な説明】
【技術分野】
【０００１】
この発明は、ガス漏れを検知して警報するガス警報回路を搭載したプリント回路基板を２分割構成の本体ケースに収納してなるガス警報器の本体ケースの改良に関するものである。
【背景技術】
【０００２】
この種のガス警報器は、一般に特許文献１に示されるように、上、下に分割された円盤形の本体ケースの一方の分割ケースにガス警報回路を搭載したプリント回路基板を納め、この分割ケースに他方の分割ケースを被せて一体的に結合して構成されている。
【０００３】
このような、従来のガス警報器を図５および図６に示す。図５は、分割された上ケース１１と下ケース１２とを結合して一体に組み立てられた本体ケース１０を示すもので、（ａ）はその上面側から見た斜視図、（ｂ）は、その下面から見た斜視図である。上ケース１１の上面には、ガス警報器の動作状態を示すための表示灯を挿入する表示孔１３と装飾部材１４が設けられている。
【０００４】
下ケース１２の下面には、電源端子１５および警報出力端子１６が突出形成されるとともに、この下ケース１２の下面から上下のケースに固定ネジ１７をねじ込むことにより上下のケースが固定的に結合され、１つの本体ケース１０が形成される。
【０００５】
図６は、本体ケース１０を分解して示すもので、（ａ）は上面側から見た斜視図、（ｂ）は下面側から見た斜視図である。これらの図から明らかなように、上ケース１１には、開口端側に小径となる段差部１１aが形成され、この小径の段差部１１aを下ケース１２内に嵌入して上下のケースを閉合する。このとき、図には表示灯としての発光ダイオード１９だけしか示されていないが、ガス警報回路を構成する各種の電子部品が搭載されたプリント回路基板１８を、上下のケースの間に挟み込んで収納する。表示灯の発光ダイオード１９は、上ケース１１の表示孔１３に臨む位置に置かれる。
【０００６】
下ケース１２には、収納されたプリント回路基板１８を支持するための支持台座１２ａおよび上下のケース１１、１２を固定ネジ１７で固定するためのネジ孔１２ｃを有するネジ座１２ｂが設けられている。また、プリント回路基板１８には固定ネジ１７を通すための孔１８ｃが、そして上ケース１１には、固定ネジ１７をねじ込むためのタップネジ孔１１ｃ付きのネジ座１１ｂがそれぞれ設けられる。これらのネジ孔の位置を合わせて上下ケースを閉合し下ケース１２の下面側から固定ネジ１７をねじ込むことにより、上下のケース１１，１２およびプリント回路基板１９を一体的に結合固定する。これによって本体ケース１０にガス警報回路の収納されたガス警報器が構成される。このガス警報器を、使用するときは、図示しない専用取付台に電源端子１５および警報信号出力端子１６を挿入して、電源の供給を受けるとともに警報信号線と接続する。
【特許文献１】特開２００１−０１４５６７号公報
【発明の開示】
【発明が解決しようとする課題】
【０００７】
このように従来のガス警報器は、２分割された分割ケースを閉じ合わせた本体ケースを固定ネジにより結合するようにしているので、部品点数が多くなるとともに、組立工数も多くなるので、製品の製造価格が高くなる問題がある。
【０００８】
この発明は、このような問題を解決するため、２分割構成された本体ケースの結合のためにネジ止めを必要としないガス警報器を提供することを課題とするものである。
【課題を解決するための手段】
【０００９】
このような課題を解決するため、この発明は、軸方向に２分割して構成された円盤形の分割ケース同士を軸方向に嵌め合わせて結合してなる本体ケース内にガス漏れを検知して警報を発するガス警報回路を搭載したプリント回路基板を収納して構成したガス警報器において、前記本体ケースの一方の分割ケースの嵌合部の外周または内周面に螺旋状または直線状に傾斜を有する突条を設け、他方の分割ケースの嵌合部の内周または外周面に前記突条と合致する傾斜を有する、前記突条と噛み合わせ可能な溝を設け、前記突条と溝とを噛み合わせてこれらの傾斜方向へ２つの分割ケースを相対的に回転させて結合したことを特徴とするものである。
【００１０】
この発明においては、一方の分割ケースの嵌合部の外周面または内周面および他方の分割ケースの嵌合部の内周面または外周面に両分割ケースの結合のための回転の終端位置において互いに係合して両分割ケースの回転を止める係合突起と係合凹所とを設けるようにするのがよい。
【発明の効果】
【００１１】
この発明によれば、ガス警報器の本体ケースを２つの分割されたケースの嵌合部に互いに噛み合う螺旋状または直線状に傾斜した突条と溝を設け、この突条と溝を噛み合わせて、これの傾斜方向に回転させることにより結合するようにしているので、分割ケース同士を固定ネジを使用することなく固定的に結合することができる。このため、固定ネジが不要となり、部品点数を削減できるとともにネジ締め工程も不要となるので組立て工数も低減することができ、製造コストを低減できる効果が得られる。
【発明を実施するための最良の形態】
【００１２】
この発明の実施の態様を図に示す実施例について説明する。
【実施例】
【００１３】
図１ないし図４にこの発明の実施例を示すものである。図１はその外観を示す斜視図であり、（ａ）は上面から見た斜視図、（ｂ）は下面から見た斜視図である。図２はその分解斜視図であり、（ａ）は上面から見た分解斜視図、（ｂ）は下面から見た分解斜視図である。図３はガス警報器の実施例を示すもので、（ａ）は平面図、（ｂ）は正面図である。図４は、その断面図を示すもので、（ａ）は、図３（ａ）にけるＩＶａ線の断面図であり、（ｂ）は、図３（ｂ）におけるＩＶｂ線の断面図である。
【００１４】
これらの図において、１０は、分割された上ケース１と下ケースに２とを結合して構成した本体ケースである。上ケース１の上面には、ガス警報器の動作状態を示すための表示孔３と装飾部材４が設けられている。下ケース２の下面には、電源端子５および警報出力端子６が突出して形成される。
【００１５】
分解斜視図を示す図２から明らかなように、上ケース１には、開口端側に、下ケース２に嵌り込む小径の段差部１ａが形成されている。この小径の段差部１aの下ケース２の内周面と接触する外周面に螺旋状または直線状に傾斜した４個の突条１ｂが所定の間隔で円周上に設けられる。下ケース２の上ケース１の段差部１ａと嵌合して接触する内周面には、上ケースの１の突条１ｂに対応する位置にこの突条を受け入れて噛み合い可能に螺旋状または直線状に傾斜した溝２ｂが形成されている。突条１ｂと溝２ｂは同じ角度で傾斜する。さらに、上ケース１の段差部１ａの外周には、回転止め用の係合突起１ｃが設けられ、下ケース２の内周面の対応する部分にこの突起と係合する凹所２ｃが設けられる。この係合用の突起１ｃと凹所２ｃは、１個ずつでよいが、結合の安定性を高めるためには複数設けるのがよい。
【００１６】
９は、表示灯用の発光ダイオード８や、その他の図示を省略した各種電子部品により構成された、ガス漏れを検知してこれを警報するガス警報回路が搭載されたプリント回路基板である。この回路基板９には、下ケース２の支持台座２ａ上に形成した位置決め用突起２ｄと係合する位置決め用穴９ｄが設けられている。
【００１７】
このように分解された上下のケース１、２とプリント回路基板９の組立ては次のように行う。
【００１８】
先ず、プリント回路基板９を下ケース２の支持台座２ａ上にプリント回路基板９の切欠き９ｄを支持台座上に設けた位置決め用突起２ｄに係合するように位置をあわせて載置する。係合用穴９ｄと突起２ｄが係合することによりプリント回路基板９は下ケース２内での回動しないように位置が決められる。次いで、この下ケース２の上から上ケース１を被せて、上ケースの段差部１ａを突条１ｂをケース２の内周面に設けた溝２ｂに合わせて下ケース２内に挿入して、上ケース１を溝２ｂの傾斜の挿入方向に回転する。これにより、上ケース１の突条１ｂが下ケース２の傾斜した溝の内壁に案内されて、下ケース２の底面方向へ挿入され、上ケース１の段差１ａの端面が下ケース２開口側の端面に当接したところで止まる。そしてこの回転の終端位置で上ケース１の係合突起１ｃと下ケース２の係合凹所２ｃとが係合され、反対方向への回転も阻止され、両方の分割ケース１，２が連結結合され、引き外し不能となる。
【００１９】
このように分割された上下のケース１，２を結合して構成したガス警報器の本体ケース１０の外観を、図３および図４に示す。図３の（ａ）は、その平面図で、（ｂ）はその正面図であり、この図３（ａ）におけるＩＶｂ−ＩＶｂ線で切断した縦断面を図４の（ｂ）に示し、図３（ｂ）におけるＩＶａ−ＩＶａ線で切断した横断面を図４（ａ）示す。
【００２０】
図４（ａ）は、上ケース１を下ケース２に対する挿入方向の回転終端位置まで回転させた状態を示しており、この状態では上ケース１の段差部１ａの外周面に形成された係合用突起１ｃが、下ケース２の内周面に形成した係合用凹所２ｃに係合して回転方向の移動がどちらの方向にも止められ、そしてケースの軸方向の移動は下ケースの溝２ｂと上ケースの凸条１ｂとのかみ合いによって止められているので上下の分割ケース１と２が固定的に結合される。この本体ケース１０内に納められたガス警報回路を構成するプリント回路基板９は結合された上、下の分割ケースの間に挟み込まれて固定され、固定ネジが不要となる。
【００２１】
この発明によれば、２つの分割ケースの嵌合接触面に形成された円周面に螺旋状または直線条に傾斜された突条と溝をかみ合わせて２つの分割ケースを連結し結合したので、従来必要であった固定ネジが不要となり、部品点数を削減できるとともに、固定ネジの締め付け工程が不要となり組立て工数を低減できるので、製造コストを安価にすることができるようになる。
【図面の簡単な説明】
【００２２】
【図１】この発明の実施例によるガス警報器の外観を示す斜視図で、（ａ）は上面から見た斜視図、（ｂ）は下面から見た斜視図である。
【図２】この発明の実施例によるガス警報器を分解して示す斜視図であり、（ａ）は上面から見た分解斜視図、（ｂ）は下面から見た分解斜視図である。
【図３】この発明の実施例によるガス警報器の外観を示すもので、（ａ）はその平面図、（ｂ）はその正面図である。
【図４】（ａ）は図３（ｂ）におけるＩＶａ−ＩＶａ線の横断面図、（ｂ）は、図３（ａ）におけるＩＶｂ−ＩＶｂ線の縦断面図である。
【図５】従来のガス警報器の外観を示す斜視図であり、（ａ）は上面から見た斜視図、（ｂ）は仮面から見た斜視図である。
【図６】従来のガス警報器を分解して示す斜視図であり、（ａ）は上面から見た分解斜視図、（ｂ）は仮面から見た分解斜視図である。
【符号の説明】
【００２３】
１：分割上ケース
２：分割下ケース
１ｂ：上ケースに傾斜して設けた突条
２ｄ：下ケースに傾斜して設けた溝
１ｄ：上ケースに設けた係合用突起
２ｄ：下ケースに設けた係合用凹所
９：プリント回路基板
【図１】
2008084104.tif 000003
【図２】
2008084104.tif 000004
【図３】
2008084104.tif 000005
【図４】
2008084104.tif 000006
【図５】
2008084104.tif 000007
【図６】
2008084104.tif 000008